(57)【要約】      （修正有）【課題】被支持物の荷重を調整することができる支持装置を提供する。【解決手段】アームユニット１と、リンクユニット２と、伸縮ユニット３と、調整ユニット４と、を備える支持装置１００であって、リンクユニット２は、第１のリンク部２１と、第２のリンク部２２と、を具え、且つ、アームユニット１と共に、４節リンク機構が構成され、第１のリンク部２１は、アームユニット１の一端を枢支するように配置され、凹部２０が形成され、伸縮ユニット３は、保持端部３１１と、可動端部３２１とを具え、可動端部３２１は、保持端部３１１に対して接近又は離間し、調整ユニット４は、調整シート４０と、連動シート４２と、調整ボルト４３と、を具え、調整シート４０は、第１のリンク部２１の凹部２０内に支持されるように取り付けられ、連動シート４２は、調整シート４０内に移動可能に配置され、調整ボルト４３は、ヘッド部４３１と、ネジ部４３２と、を有する。【選択図】図３
0003223681.tif 000002
【実用新案登録請求の範囲】
【請求項１】
アームユニットと、リンクユニットと、伸縮ユニットと、調整ユニットと、を備える支持装置であって、
前記アームユニットは、第１のアームと、第２のアームと、を具え、
前記第１のアームは、所定の方向に沿って延伸しており、
前記第２のアームは、前記所定の方向に沿って延伸し、前記第１のアームと向かい合わせて、前記第１のアームと共に収容空間を画成するように配置されており、
前記リンクユニットは、第１のリンク部と、第２のリンク部と、を具え、且つ、前記アームユニットと共に、４節リンク機構が構成されており、
前記第１のリンク部は、前記第１のアームの一端及び前記第２のアームの一端を枢支するように配置されていて、前記収容空間に向かって開口する凹部が形成され、
前記第２のリンク部は、前記第１のアームの他端及び前記第２のアームの他端を枢支するように配置されており、
前記伸縮ユニットは、伸縮可能な棒状体であり、且つ、該棒状体の両端に保持端部と、前記保持端部に対して相対移動可能な可動端部と、を具え、
前記可動端部は、該伸縮ユニットの伸縮移動に応じて、前記保持端部に対して接近し又は離間し、
前記調整ユニットは、調整シートと、連動シートと、調整ボルトと、を具え、
前記調整シートは、前記収容空間に向かって凹状となり、前記第１のリンク部の前記凹部内に支持されるように取り付けられ、且つ、間隔をあけていて向かい合う一対の側壁を有しており、
前記一対の側壁には、いずれも、その頂端縁から互いに面する方向に延伸する一対の支圧板部を有しており、
前記連動シートは、前記可動端部と連接していて前記調整シート内で移動することができ、
前記調整ボルトは、前記支圧板部に当接するヘッド部と、前記第１のリンク部を回転可能に挿通し、前記連動シートに螺合されるネジ部と、を有しており、
前記調整ボルトが前記調整シートに対し、前記ネジ部の軸線を回転軸として回転操作されると、前記連動シートとの螺合により、前記連動シート及び該前記連動シートが取り付けられる前記伸縮ユニットの前記可動端部が移動すると共に、該伸縮ユニットが伸縮する、
ことを特徴とする支持装置。
【請求項２】
前記第１のリンク部には、
固定部と、
前記固定部の頂端部に、間隔をあけていて互いに向かい合うように配置されている一対の側板と、
アーク状に形成され、前記一対の側板における同じ側の端部同士を連結し、且つ、前記一対の側板と共に前記凹部を画成するように配置され、更に、前記凹部に向かって開口する固定ナット部を有しているアーク板と、を更に具え、
また、前記凹部には、前記調整ボルトの反対側から、前記調整シートに当接して該調整シートを支持する一対の衝止部が形成されており、
前記調整ユニットには、固定ネジ部を更に具え、
また、前記調整ユニットの前記調整シートは、前記一対の側壁における同じ側の端部同士を連結し、且つ、前記第１のリンク部の前記固定ナット部に対応する穿孔が形成されている連結壁を有し、
前記固定ネジ部は、前記穿孔を挿通してから前記第１のリンク部の前記固定ナット部を螺合することにより、前記調整ユニットの前記調整シートを前記第１のリンク部の前記凹部内に固定する、
ことを特徴とする請求項１に記載の支持装置。
【請求項３】
前記一対の衝止部には、それぞれ所定の延伸方向に沿って延伸する摺接面と、各前記摺接面と隣接し、前記延伸方向と略直交する衝止面と、を具え、
前記調整ユニットの前記調整シートは、前記凹部の内に、前記一対の側板のそれぞれ下端縁にある当接面で前記第１のリンク部の前記一対の衝止部がそれぞれ有する前記摺接面に当接することにより前記連結壁で前記衝止面に当接する、
ことを特徴とする請求項２に記載の支持装置。
【請求項４】
前記調整ユニットは、
前記第１のアーム及び前記第１のリンク部を枢支する第１の回動軸と、前記第２のアーム及び前記第１のリンク部を枢支する第２の回動軸と、を更に具え、
前記調整ボルトの前記ヘッド部には、
前記第１の回動軸が通過する係合溝が形成されており、そして該前記調整ボルトは、回転操作される際、前記調整シートに対して移動せず、且つ、前記第１の回動軸の作動を干渉しないように配置されている、
ことを特徴とする請求項１に記載の支持装置。
【請求項５】
前記保持端部は、前記アームユニットにおける前記収容空間の内で、連結ブロックを枢支し、そして該連結ブロックが前記保持端部と共に前記第１のアームに連結されている、
ことを特徴とする請求項１に記載の支持装置。
【請求項６】
前記一対の側壁には、いずれも、前記第１のアームが延伸する前記所定の方向と交差する案内方向に沿って延伸する一対の案内溝を更に有しており、
前記可動端部は、先端側の端部が二股に分かれ且つ前記先端側の端部に一対の貫通孔が形成され、
前記連動シートは略棒状に形成され、前記棒状の部分には、前記案内方向に沿って前記棒状の部分を貫通する調整ボルト用貫通孔が形成され、且つこの棒状の両端に形成された一対の案内突起が、前記可動端部の前記先端側の端部に画成された一対の貫通孔をそれぞれ貫通すると共に、前記一対の案内突起４２１が前記調整シートの前記一対の案内溝に嵌め込まれることにより案内され、前記調整シート内に、前記案内方向に沿って移動可能に配置されている、
ことを特徴とする請求項１に記載の支持装置。
【考案の詳細な説明】
【技術分野】
【０００１】
本考案は支持装置に関し、具体的には、サスペンション機能を備え、被支持物の荷重を調整することができる支持装置に関する。
【背景技術】
【０００２】
図１及び図２を参照して、特許文献１に記載された従来の支持装置９を説明する。図１は特許文献１に記載された従来の支持装置９が示される横断面図であり、また、図２は従来の支持装置９の第２のリンク部９３の構成が示される斜視図である。
【０００３】
図１に示されているように、従来の支持装置９は、例えば、モニターなどの重い物品を支持しながら、その荷重及び位置を調整することができる。
【０００４】
該従来の支持装置９は、長手方向に沿って延伸する第１のアーム９０と、第１のアーム９０と平行となるように配置されている第２のアーム９１と、第１のアーム９０及び第２のアーム９１の一端に枢支するように配置されている第１のリンク部９２と、第１のアーム９０及び第２のアーム９１の他端に枢支するように配置されている第２のリンク部９３と、第１のアーム９０及び第２のアーム９１の間に伸縮可能に配置されていて、サスペンション機能を発揮させることができる油圧伸縮シリンダー９４と、第２のリンク部９３に取り付けられ、ガイド溝９５１が形成されているガイドシート９５と、油圧伸縮シリンダー９４を連結し、ガイドシート９５のガイド溝９５１に摺動可能に取り付けられている連動手段９６と、連動手段９６の位置を制御することによって油圧伸縮シリンダー９４の伸縮を調整することができる調整ボルト９７と、ガイドシート９５を第１のリンク部９２に固定する固定ボルト９８と、第１のアーム９０が第２のリンク部９３に回動可能に枢支するように配置される枢支軸９９と、を備えている。
【０００５】
また、図２に示されているように、従来の支持装置９の第２のリンク部９３には、互いに間隔をあけて向かい合う一対の側壁９３１と、一対の側壁９３１における同じ側の端部同士を連結する連結壁９３２と、連結壁９３２から突出されていて、ガイドシート９５に当接する一対の当接ブロック９３３と、ガイドシート９５が第２のリンク部９３に取り付けられている際に、位置決めるように形成されている位置決め部９３４と、を具えている。
【０００６】
従来の支持装置９は、調整ボルト９７の回転操作によって、連動手段９６がガイドシート９５に形成されたガイド溝９５１に沿って位置を変更させ、そして被支持物の荷重を設定することができることに加え、被支持物の位置をも設定することができる。
【先行技術文献】
【特許文献】
【０００７】
【特許文献１】台湾実用新案登録第Ｍ５４８６１９号明細書
【考案の概要】
【考案が解決しようとする課題】
【０００８】
しかしながら、上記のような従来の支持装置は、ガイドシートの底部が第２のリンク部に当接されていないので、調整ボルトを回転操作する際に、ガイドシートが第２のリンク部に対して揺動が発生し、調整ボルトの操作に影響を与える。また、ガイドシートが第２のリンク部に対する揺動が発生すると、騒音が出てしまう恐れがある。
【０００９】
さらに、ガイドシートが固定ボルトを用いて第２のリンク部に取り付けられると、固定ボルトが上向きに螺合締結するため、取り付ける作業を実行しにくい欠点がある。
【００１０】
よって、本考案は上記問題点に鑑みて、上記欠点を解決できる支持装置を提供することを目的とする。
【課題を解決するための手段】
【００１１】
上記目的を達成すべく、本考案は以下の支持装置を提供する。
【００１２】
即ち、アームユニットと、リンクユニットと、伸縮ユニットと、調整ユニットと、を備える支持装置であって、
前記アームユニットは、第１のアームと、第２のアームと、を具え、
前記第１のアームは、所定の方向に沿って延伸しており、
前記第２のアームは、前記所定の方向に沿って延伸し、前記第１のアームと向かい合わせて、前記第１のアームと共に収容空間を画成するように配置されており、
前記リンクユニットは、第１のリンク部と、第２のリンク部と、を具え、且つ、前記アームユニットと共に、４節リンク機構が構成されており、
前記第１のリンク部は、前記第１のアームの一端及び前記第２のアームの一端を枢支するように配置されていて、前記収容空間に向かって開口する凹部が形成され、
前記第２のリンク部は、前記第１のアームの他端及び前記第２のアームの他端を枢支するように配置されており、
前記伸縮ユニットは、伸縮可能な棒状体であり、且つ、該棒状体の両端に保持端部と、前記保持端部に対して相対移動可能な可動端部と、を具え、
前記可動端部は、該伸縮ユニットの伸縮移動に応じて、前記保持端部に対して接近し又は離間し、
前記調整ユニットは、調整シートと、連動シートと、調整ボルトと、を具え、
前記調整シートは、前記収容空間に向かって凹状となり、前記第１のリンク部の前記凹部内に支持されるように取り付けられ、且つ、間隔をあけていて向かい合う一対の側壁を有しており、
前記一対の側壁には、いずれも、その頂端縁から互いに面する方向に延伸する一対の支圧板部を有しており、
前記連動シートは、前記可動端部と連接していて前記調整シート内で移動することができ、
前記調整ボルトは、前記支圧板部に当接するヘッド部と、前記第１のリンク部を回転可能に挿通し、前記連動シートに螺合されるネジ部と、を有しており、
前記調整ボルトが前記調整シートに対し、前記ネジ部の軸線を回転軸として回転操作されると、前記連動シートとの螺合により、前記連動シート及び該前記連動シートが取り付けられる前記伸縮ユニットの前記可動端部が移動すると共に、該伸縮ユニットが伸縮する。
【考案の効果】
【００１３】
上記構成により、本考案に係る支持装置は、伸縮ユニットを伸縮させるべく、調整ボルトを回転操作する際に、伸縮ユニットの可動端部の移動を案内する一対の案内溝が形成される調整シートは、調整ボルトに当接する一対の支圧板部を有すると共に、調整ボルトの反対側から、第１のリンク部の凹部に支持されることで、調整シートが第１のリンク部に対して揺動せず、調整ボルトに対する回転操作が安定的に行うことができ、その上、調整シートの揺動による騒音も出てしまうことなく、伸縮ユニットの伸縮運動がスムーズに行える効果を得ることができる。
【図面の簡単な説明】
【００１４】
【図１】特許文献１に記載された従来の支持装置が示される横断面図である。
【図２】従来の支持装置の第２のリンク部の構成が示される斜視図である。
【図３】本考案に係る支持装置の実施形態の構成が示される分解斜視図である。
【図４】該実施形態の構成が示される斜視図である。
【図５】該実施形態の支持装置の横断面図である。
【図６】該実施形態の調整シートが第１のリンク部の凹部内に取り付けられることが示される一部分解斜視図である。
【図７】該実施形態の調整シート及び調整ボルトが取り付け済みの状態が示される一部斜視図である。
【図８】該実施形態の連動シートが案内溝の下端に操作される状態が示される一部拡大断面図である。
【図９】該実施形態の連動シートが案内溝の上端に操作される状態が示される一部拡大断面図である。
【考案を実施するための形態】
【００１５】
図３〜図７を参照して本考案の実施形態を説明する。ここで、図３は本考案に係る支持装置１００の実施形態の構成が示される分解斜視図であり、図４は該実施形態の構成が示される斜視図であり、図５は該実施形態の支持装置１００の横断面図であり、図６は該実施形態の調整シート４０が第１のリンク部２１の凹部２０内に取り付けられることが示される一部分解斜視図であり、また、図７は該実施形態の調整シート４０及び調整ボルト４３が取り付け済みの状態が示される一部斜視図である。
【００１６】
図３に示されるように、本考案に係る支持装置１００は、アームユニット１と、リンクユニット２と、伸縮ユニット３と、調整ユニット４と、を備えている。
【００１７】
アームユニット１は、図４及び図５に示されるように、長手方向Ｄ１に沿って延伸している第１のアーム１１と、第１のアーム１１と向かい合わせて、第１のアーム１１と共に収容空間１０を画成するように配置されている第２のアーム１２と、を具えている。
【００１８】
リンクユニット２は、図３に示されるように、第１のリンク部２１と、第２のリンク部２２と、を具えている。
【００１９】
また、第１のリンク部２１は、図３〜図５に示されるように、第１のアーム１１の一端及び第２のアーム１２の一端を、長手方向Ｄ１と直交する短手方向Ｄ２に沿って第１のアーム１１の一端側及び第２のアーム１２の一端側に形成された孔に挿入される第１のアーム１１に対応する第１の回動軸４４及び第２のアーム１２に対応する第２の回動軸４５で回動可能に枢支するように配置される。また、該第１のリンク部２１は、収容空間１０に向かって開口する凹部２０が形成されている。
【００２０】
更に、第１のリンク部２１には、図３に示されるように、固定部２１０と、固定部２１０の頂端部に、短手方向Ｄ２に沿って間隔をあけていて互いに向かい合うように配置されている一対の側板２１１と、アーク状に形成され、一対の側板２１１における同じ側の端部同士を連結し、且つ、一対の側板２１１と共に凹部２０を画成するように配置され、更に、凹部２０に向かって開口する固定ナット部２１４を有しているアーク板２１２と、を更に具えている。
【００２１】
また、第２のリンク部２２は、第１のアーム１１の他端及び第２のアーム１２の他端を、長手方向Ｄ１と直交する短手方向Ｄ２に沿って第１のアーム１１の他端側及び第２のアーム１２の他端側に形成された孔に挿入される第１のアーム１１に対応する第３の回動軸４６及び第２のアーム１２に対応する第４の回動軸４７で回動可能に枢支するように配置されている。
【００２２】
即ち、第１のアーム１１と第１のリンク部２１と第２のアーム１２と第２のリンク部２２とは、図４に示されるように、第１の回動軸４４と第２の回動軸４５と第３の回動軸４６と第４の回動軸４７とを用いて枢支されていて、４節リンク機構（ｆｏｕｒ  ｂａｒ  ｌｉｎｋａｇｅ）が構成されている。
【００２３】
伸縮ユニット３は、収容空間１０内に長手方向Ｄ１に沿って延伸するように配置される伸縮可能な棒状体であると共に、油圧シリンダー３１と、油圧シリンダー３１に挿入していて油圧シリンダー３１に対して伸縮移動することができるように配置されているピストンロッド３２と、を具えている。且つ、該棒状体の両端には、保持端部３１１と、先端側の端部が二股に分かれ且つ前記先端側の端部に一対の貫通孔が形成された可動端部３２１とを具えている。
【００２４】
また、図５に示されるように、伸縮ユニット３の両端がそれぞれ第１のリンク部２１及び第１のアーム１１を繋ぐように取り付けられると共に、油圧シリンダー３１及びピストンロッド３２により被支持物５に対してサスペンション機能を発揮させることができ、そして被支持物５の重量に耐えることができる上、長手方向Ｄ１と短手方向Ｄ２との両方と直交する高さ方向Ｄ３に沿って位置をも調整することができる。
【００２５】
また、保持端部３１１は、図５に示されるように、油圧シリンダー３１の端部にあり、アームユニット１における収容空間１０の内で、連結ブロック３１２を枢支し、そして該連結ブロック３１２が保持端部３１１と共に第１のアーム１１に連結されている。
【００２６】
また、可動端部３２１は、ピストンロッド３２の端部にあり、且つ、該伸縮ユニット３の伸縮移動に応じて、保持端部３１１に対して接近または離間することができる。
【００２７】
調整ユニット４は、調整シート４０と、固定ネジ部４１と、連動シート４２と、調整ボルト４３と、を具えている。
【００２８】
また、調整シート４０は、図６に示されるように、収容空間１０に向かって凹状となり、第１のリンク部２１の凹部２０内に支持されるように取り付けられ、且つ、短手方向Ｄ２に沿って間隔をあけていて向かい合う一対の側壁４０１を有している。
【００２９】
一対の側壁４０１には、いずれも、その頂端縁から互いに面する方向へ折れ曲がるように延伸する一対の支圧板部４０７と、伸縮ユニット３の可動端部３２１を案内移動させるべく、第１のアーム１１が延伸する長手方向Ｄ１と交差する案内方向に沿って延伸する一対の案内溝４０３と、を有している。
【００３０】
更に、調整シート４０には、一対の側壁４０１における同じ側の端部同士を連結し、且つ、第１のリンク部２１の固定ナット部２１４に対応する穿孔４０８が形成されている連結壁４０２を有している。
【００３１】
また、固定ネジ部４１は、穿孔４０８を挿通してから第１のリンク部２１の固定ナット部２１４を螺合締結することにより、調整ユニット４の調整シート４０を第１のリンク部２１の凹部２０内に固定させることができる。
【００３２】
また、連動シート４２は、図５に示されるように、略棒状に形成され、棒状の部分には、案内方向に沿って棒状の部分を貫通する調整ボルト用貫通孔４２２が形成され、且つこの棒状の両端に形成された一対の案内突起４２１が、可動端部３２１の先端側の端部に画成された一対の貫通孔をそれぞれ貫通すると共に、一対の案内突起４２１が調整シート４０の一対の案内溝４０３に嵌め込まれることにより案内され、調整シート４０内に、案内方向に沿って移動可能に配置されている。
【００３３】
即ち、図６に示されるように、連動シート４２の他端が一対の案内溝４０３に対応する一対の案内突起４２１を有し、そして一対の案内突起４２１が一対の案内溝４０３において案内方向に沿って移動可能に取り付けられている。
【００３４】
また、調整ボルト４３は、支圧板部４０７に当接するヘッド部４３１と、案内方向と平行となるように第１のリンク部２１を回転可能に挿通し、連動シート４２に形成された調整ボルト用貫通孔４２２に螺合されるネジ部４３２と、を有している。
【００３５】
更に、第１のリンク部２１の凹部２０には、調整ボルト４３の反対側から、調整シート４０に当接して該調整シート４０を支持する一対の衝止部２１３が形成されている。
【００３６】
なお、調整ユニット４の調整シート４０は、凹部２０の内に一対の側板２１１のそれぞれ下端縁にある当接面４０４で第１のリンク部２１の一対の衝止部２１３がそれぞれ有する摺接面２１５に当接する。そして、一対の衝止部２１３には、図６に示されるように、それぞれ延伸方向Ｙに沿って延伸する摺接面２１５と、各摺接面２１５と隣接し、延伸方向Ｙと略直交する衝止面２１６と、を具えている。
【００３７】
そして、調整シート４０は、第１のリンク部２１の凹部２０内に取り付けられる際に、連結壁４０２で衝止面２１６に当接してから、固定ネジ部４１を用いて、図６に示されるように、延伸方向Ｙと略平行な方向に沿って穿孔４０８を挿通していて第１のリンク部２１に形成された固定ナット部２１４を螺合締結し、凹部２０内に固定させる。そして、図７に示されるように、調整ボルト４３は、案内方向と平行となる方向に沿って第１のリンク部２１に挿入するように配置されている。
【００３８】
また、調整シート４０は、図６及び図７に示されるように、当接面４０４を連結すると共に、調整シート４０が第１のリンク部２１の凹部２０に取り付ける際に、一対の衝止部２１３に接触しないように形成されている位置決め面４０６と、位置決め面４０６を連結していて延伸し、且つ、位置決め面４０６と鈍角の角度（θ）をあけて、一対の案内溝４０３が長く延伸することができるように形成されている延伸面４０５と、を更に具えている。
【００３９】
なお、本考案に係る支持装置１００は、一対の案内溝４０３を長く延伸させることで、連動シート４２の端部にある一対の案内突起４２１が一対の案内溝４０３に沿って移動できる範囲が大きくなる。即ち、伸縮ユニット３のピストンロッド３２は、油圧シリンダー３１に対して相対移動できる範囲が大きくなるにつれて、被支持物５に対して調整できる荷重の範囲が一層大きくなっている。
【００４０】
また、調整ユニット４は、第１のアーム１１及び第１のリンク部２１を枢支する第１の回動軸４４と、第２のアーム１２及び第１のリンク部２１を枢支する第２の回動軸４５と、を更に具えている。
【００４１】
調整ボルト４３のヘッド部４３１には、図６に示されるように、第１の回動軸４４が通過する係合溝４３３が形成されている。即ち、該第１の回動軸４４は、短手方向Ｄ２に沿って第１のアーム１１の一端側に形成された孔に挿入されると共に、調整ボルト４３のヘッド部４３１に形成されている係合溝４３３を通過することができる。
【００４２】
そのため、該調整ボルト４３は、伸縮ユニット３の伸縮運動をさせていて、被支持物５の荷重を調整するべく、回転操作される際、調整シート４０に対して案内方向において移動せず、第１の回動軸４４の作動を干渉しないように配置されている。
【００４３】
図８及び図９を参照する。ここで、図８は該実施形態の連動シート４２が案内溝４０３の下端に操作される状態が示される一部拡大断面図であり、また、図９は該実施形態の連動シート４２が案内溝４０３の上端に操作される状態が示される一部拡大断面図である。
【００４４】
本考案に係る支持装置１００は、伸縮ユニット３を伸縮させ、被支持物５の荷重を調整させるべく、調整ボルト４３が調整シート４０に対し、ネジ部４３２の軸線Ｘを回転軸として回転操作されると、図８及び図９に示されるように、連動シート４２との螺合により、連動シート４２及び該連動シート４２が取り付けられる伸縮ユニット３の可動端部３２１は調整シート４０に形成された一対の案内溝４０３に案内されて案内方向に沿って移動すると共に、該伸縮ユニット３は伸縮することができる。
【００４５】
即ち、該支持装置１００は、調整ボルト４３が調整シート４０に対して回転操作することにより、連動シート４２が、図８に示されるように、一対の案内溝４０３の下端にある下限位置と、連動シート４２が、図９に示されるように、一対の案内溝４０３の上端にある上限位置と、の間で切り替えることができる。
【００４６】
また、連動シート４２は、下限位置に移動させると、伸縮ユニット３のピストンロッド３２が油圧シリンダー３１に対して引き伸ばされる状態になる。一方、連動シート４２は、上限位置に移動させると、ピストンロッド３２が油圧シリンダー３１に対して圧縮される状態になる。
【００４７】
そのため、本考案に係る支持装置１００は、調整ボルト４３が調整シート４０に対して回転操作することにより、連動シート４２が一対の案内溝４０３において上限位置及び下限位置の間で移動させることができ、伸縮ユニット３を伸縮させることにより、そして被支持物５の荷重を設定することができることに加え、被支持物５の位置をも設定することができる。
【００４８】
ここで、前述した被支持物５の荷重を調整させるべく、伸縮ユニット３の伸縮運動に関する技術は、すでに先行技術文献に記載されたので、本考案の特徴ではなく、更なる詳細な記載がなくても、同業者であれば、上記の内容に基づいて利用できると考える。
【００４９】
上記実施形態によれば、本考案の支持装置１００は、以下の利点を有する。
【００５０】
第１に、本考案に係る支持装置１００の伸縮ユニット３を伸縮させるべく、調整ボルト４３を回転操作する場合、第１のリンク部２１の凹部２０に形成された衝止部２１３を用いて調整シート４０を支持すること及び調整シート４０に形成された一対の支圧板部４０７を用いて調整ボルト４３に当接することによって、調整シート４０が第１のリンク部２１に対して揺動せず、調整ボルト４３に対する回転操作は安定に行うことができ、伸縮ユニット３の伸縮運動もスムーズになる効果を得ることができる。
【００５１】
第２に、調整シート４０が第１のリンク部２１に対して揺動しないことで、調整ボルト４３を回転操作する際に、騒音が出ることがない。
【００５２】
第３に、本考案に係る支持装置１００の調整シート４０は、図６に示されるように、固定ネジ部４１を用いて延伸方向Ｙと略平行する方向に沿って第１のリンク部２１の凹部２０内に取り付けられる。また、従来の支持装置９は、図１に示されるように、ガイドシート９５が固定ボルト９８により第２のリンク９３部に上向きに螺合するように取り付けられる。そのため、本考案に係る支持装置１００においては、調整シート４０が第１のリンク部２１の凹部２０内に取り付ける作業が、従来の支持装置９より実行しやすい。
【００５３】
第４に、本考案に係る支持装置１００は、調整シート４０の延伸面４０５と位置決め面４０６とが鈍角となるため、一対の案内溝４０３が長くすることができ、そして連動シート４２が一対の案内溝４０３に沿って移動できる範囲が大きくなる。そのため、伸縮ユニット３のピストンロッド３２は、油圧シリンダー３１に対して相対移動できる範囲が大きくなると共に、被支持物５の荷重の範囲が大きくなっている。
【００５４】
上記実施形態のように、本考案は、その要旨を逸脱しない範囲で種々の変更が可能である。
【産業上の利用可能性】
【００５５】
本考案は、上記のように記載された支持装置は、調整シートが第１のリンク部の凹部に形成された衝止部に支持されていると共に、調整ボルトが当接する一対の支圧板部を有することで、調整ボルトを回転操作すると、調整シートが第１のリンク部に対して揺動せず、調整ボルトに対する回転操作を安定して実行させることができ、伸縮ユニットの伸縮運動をスムーズに行える。また、調整シートが第１のリンク部に対して揺動が発生しないため、調整ボルトを回転操作する際に、騒音が出てしまう恐れがない。
【００５６】
また、調整シートが固定ネジ部を用いて延伸方向と略平行となる方向に沿って第１のリンク部の凹部内に取り付けられることにより、取り付ける作業を簡単に実行することができる。
【００５７】
なお、調整シートの延伸面と位置決め面とが鈍角に形成されているため、一対の案内溝が長くなるにつれて、被支持物の荷重の範囲が大きくなっている。
【００５８】
そのため、産業上の利用可能性がある。
【符号の説明】
【００５９】
１  アームユニット
１０  収容空間
１１  第１のアーム
１２  第２のアーム
２  リンクユニット
２０  凹部
２１  第１のリンク部
２１０  固定部
２１１  側板
２１２  アーク板
２１３  衝止部
２１４  固定ナット部
２１５  摺接面
２１６  衝止面
２２  第２のリンク部
３  伸縮ユニット
３１  油圧シリンダー
３１１  保持端部
３１２  連結ブロック
３２  ピストンロッド
３２１  可動端部
４  調整ユニット
４０  調整シート
４０１  側壁
４０２  連結壁
４０３  案内溝
４０４  当接面
４０５  延伸面
４０６  位置決め面
４０７  支圧板部
４０８  穿孔
４１  固定ネジ部
４２  連動シート
４２１  案内突起
４２２  調整ボルト用貫通孔
４３  調整ボルト
４３１  ヘッド部
４３２  ネジ部
４３３  係合溝
４４  第１の回動軸
４５  第２の回動軸
４６  第３の回動軸
４７  第４の回動軸
５  被支持物
１００  支持装置
Ｘ  軸線
Ｙ  延伸方向
Ｄ１  長手方向
Ｄ２  短手方向
Ｄ３  高さ方向
９  従来の支持装置
９０  第１のアーム
９１  第２のアーム
９２  第１のリンク部
９３  第２のリンク部
９３１  側壁
９３２  連結壁
９３３  当接ブロック
９３４  位置決め部
９４  油圧伸縮シリンダー
９５  ガイドシート
９５１  ガイド溝
９６  連動手段
９７  調整ボルト
９８  固定ボルト
９９  枢支軸
【図１】
0003223681.tif 000003
【図２】
0003223681.tif 000004
【図３】
0003223681.tif 000005
【図４】
0003223681.tif 000006
【図５】
0003223681.tif 000007
【図６】
0003223681.tif 000008
【図７】
0003223681.tif 000009
【図８】
0003223681.tif 000010
【図９】
0003223681.tif 000011